(57)【特許請求の範囲】
【請求項１】
壁下地の開口部の内周に枠体と開閉体からなる建具を取り付け、枠体の上部に上枠部材を、枠体の側部に側枠部材をそれぞれ開口部よりも屋外側に突出して設け、上枠部材の上方に一定の間隙を介して上方外装材を配設することによって、上枠部材と上方外装材との間に上部排水路を形成し、側枠部材の側方に一定の間隙を介して側方外装材を配設することによって、側枠部材と側方外装材との間に側部排水路を上部排水路と連通させて形成し、フラッシング材を上枠部材の上方から側枠部材の側方にわたって配設し、フラッシング材の屋外側に前記上部排水路と前記側部排水路とを形成し、側枠部材の下方に下方外装材を配設し、側部排水路の下端から下方外装材までの間に水切り部材を設けて成ることを特徴とする建具周囲の排水構造。
【請求項２】
フラッシング材に設けた防水片を側枠部材の側面に沿って配置して成ることを特徴とする請求項１に記載の建具周囲の排水構造。
【請求項３】
フラッシング材を防水テープで形成して成ることを特徴とする請求項１又は２に記載の建具周囲の排水構造。
【請求項４】
フラッシング材を上枠部材及び側枠部材に一体に形成して成ることを特徴とする請求項１又は２に記載の建具周囲の排水構造。
【発明の詳細な説明】
【技術分野】
【０００１】
本発明は、サッシなどの建具の周囲における排水構造に関するものである。
【背景技術】
【０００２】
図２０にビルなどの建物の外壁５０を示す。この外壁５０は複数枚の外装材５１、５１…を縦横に並べて形成されており、外壁５０の一部に設けた開口部にはサッシなどの建具５２が嵌め込まれている。また、縦横に隣接する外装材５１、５１は突き合わせ又は嵌合等により接続されており、横方向で隣接する外装材５１、５１の間には縦目地５３が形成されている。この縦目地５３には防水性のためにシーリング材などが充填されている。このような外壁５０にあっては、経時劣化などによりシーリング材が破れて縦目地５３に雨水が浸入することがあるが、この場合、雨水は縦目地５３の屋内側にある空間を排水路として排水するようになっている。
【０００３】
しかし、縦目地５３が建具５２の上側に形成されている場合、排水路の下端が建具５２の上面で開放されているために、排水路を流れ落ちた雨水は行き場を失って建具５２の上側に溜まったり外装材５１の内部に侵入したりしていた。従って、建具５２や外装材５１の劣化が早まるという問題があった。
【０００４】
そこで、例えば、特許文献１では、建具の上側に雨水を溜めた後、上横枠や縦枠を通じて排水するようにしているが、この場合、雨水を溜めることでスムーズに排水することができないおそれがあり、また、排水のために中空などの複雑な形状の上横枠や縦枠を用いなければならず、コストアップにつながるという問題があった。
【特許文献１】特開平８−２１１６２号公報
【発明の開示】
【発明が解決しようとする課題】
【０００５】
本発明は上記の点に鑑みてなされたものであり、排水のために複雑な形状の部材を用いることなく、建具の周囲から雨水をスムーズに排水することができる建具周囲の排水構造を提供することを目的とするものである。
【課題を解決するための手段】
【０００６】
本発明の請求項１に係る建具周囲の排水構造は、壁下地１の開口部２の内周に枠体３ａと開閉体３ｂとからなる建具３を取り付け、枠体３ａの上部に上枠部材４を、枠体３ａの側部に側枠部材５をそれぞれ開口部２よりも屋外側に突出して設け、上枠部材４の上方に一定の間隙を介して上方外装材６を配設することによって、上枠部材４と上方外装材６との間に上部排水路７を形成し、側枠部材５の側方に一定の間隙を介して側方外装材８を配設することによって、側枠部材５と側方外装材８との間に側部排水路９を上部排水路７と連通させて形成し、フラッシング材１２を上枠部材４の上方から側枠部材５の側方にわたって配設し、フラッシング材１２の屋外側に前記上部排水路７と前記側部排水路９とを形成し、側枠部材５の下方に下方外装材１０を配設し、側部排水路９の下端から下方外装材１０までの間に水切り部材１１を設けて成ることを特徴とするものである。
【０００８】
本発明の請求項２に係る建具周囲の排水構造は、請求項１において、フラッシング材１２に設けた防水片１３を側枠部材５の側面に沿って配置して成ることを特徴とするものである。
【０００９】
本発明の請求項３に係る建具周囲の排水構造は、請求項１又は２において、フラッシング材１２を防水テープ１４で形成して成ることを特徴とするものである。
【００１０】
本発明の請求項４に係る建具周囲の排水構造は、請求項１又は２において、フラッシング材１２を上枠部材４及び側枠部材５に一体に形成して成ることを特徴とするものである。
【発明の効果】
【００１１】
請求項１の発明では、上枠部材４の上方に上部排水路７を形成すると共に側枠部材５の側方に側部排水路９を形成するので、排水路を確保するために複雑な形状の部材を用いる必要が無く、しかも、上部排水路７に雨水を溜めることなく側部排水路９へと流下させることができ、建具の周囲から雨水をスムーズに排水することができるものである。
【００１２】
また、請求項１の発明では、フラッシング材１２により、上枠部材４及び側枠部材５と壁下地１との隙間を塞ぐことができ、防水性を高めることができるものである。
【００１３】
請求項２の発明では、フラッシング材１２に設けた防水片１３により、側枠部材５と壁下地１との隙間を塞ぐことができ、防水性をさらに高めることができるものである。
【００１４】
請求項３の発明では、防水テープ１４により、上枠部材４及び側枠部材５と壁下地１との隙間を塞ぐことができ、防水性を高めることができるものである。
【００１５】
請求項４の発明では、フラッシング材１２と上枠部材４及び側枠部材５との隙間を生じないようにすることができ、防水性をさらに高めることができるものである。
【発明を実施するための最良の形態】
【００１６】
以下、本発明を実施するための最良の形態を説明する。
【００１７】
本発明では、まず、図２（ａ）（ｂ）に示すように、壁下地１の開口部２にサッシ等の建具３を嵌め込んで取り付ける。壁下地１は鉄骨などの構造材を組み合わせて形成することができ、図２（ａ）のものでは、上下に対向配置された二本の横構造材１ａ、１ａの間に二本の縦構造材１ｂ、１ｂを架け渡すことにより、横構造材１ａ、１ａと縦構造材１ｂ、１ｂとで囲まれる空間を開口部２とすることができる。建具３は四角枠状の枠体３ａの内側に引き戸等の開閉体３ｂを一体に取り付けて形成されるものである。尚、図２（ａ）、図３（ａ）、図５（ａ）、図６（ａ）、図７、図９（ａ）、図１０（ａ）、図１１、図１２、図１４、図１５、図１７、図１８においては開閉体３ｂの図示を省略している。
【００１８】
上記の建具３の枠体３ａには横長の上枠部材４と縦長の側枠部材５とが設けられている。上枠部材４と側枠部材５は枠体３ａと同様にアルミニウム等の金属の成型部材で形成することができる。上枠部材４は枠体３ａの上部（上枠）の屋外側に横方向の略全長にわたって取り付け、側枠部材５は枠体３ａの両方の側部（側枠）の屋外側に縦方向に長く取り付ける。そして、建具３を開口部２の内周に取り付けると、上枠部材４及び側枠部材５は開口部２よりも屋外側に突出して配置される。また、上枠部材４は開口部２の上方開口縁部に沿ってその略全長にわたって配置され、側枠部材５は開口部２の両方の側方開口縁部に沿ってその略全長にわたって配置される。また、上枠部材４には上方に突出する上枠取付片４ａが設けられており、上枠取付片４ａは横構造材１ａの屋外面にビス等で固定される。また、側枠部材５には側方（開口部２と反対側の外方）に向かって突出する側枠取付片５ａが設けられており、側枠取付片５ａは縦構造材１ｂの屋外面にビス等で固定される。
【００１９】
上記のようにして建具３を取り付けた後、下方外装材１０を壁下地１に取り付ける。下方外装材１０は外壁材であって、例えば、二枚の金属外皮の間に断熱材を充填して形成される板状の断熱パネル（サンドイッチパネル）などを用いることができる。下方外装材１０の上部は嵌合凸部２０として形成されており、嵌合凸部２０の屋外側面には横方向に長い凹溝２１が形成されている。そして、凹溝２１の部分にドリルビスなどの固定具４５を打ち込むことにより、下方外装材１０を壁下地１に取り付けることができる。このとき、嵌合凸部２０の上端面と側枠部材５の下端との間には隙間２２を設けるようにする。
【００２０】
上記のようにして下方外装材１０を取り付けた後、図３（ａ）（ｂ）に示すように、水切り部材１１を取り付ける。水切り部材１１はカラー鋼板などの金属板を折り曲げ加工などして形成されるものであって、図４に示すように、矩形板状の水受け部１１ａと、水受け部１１ａの屋外側端部から下方に向かって突出する排水片１１ｂと、水受け部１１ａの両側端部の屋内側端部に上方に向かって突設される二つの防水突片１１ｃ、１１ｃと、防水突片１１ｃ、１１ｃの間において水受け部１１ａの屋内側端部に沿って立設される立ち上げ片１１ｅと、立ち上げ片１１ｅに貼着されるシーリングテープ１１ｄとを備えて形成されている。そして、水切り部材１１を上記の隙間２２に屋外側から差し入れ、水受け部１１ａを下方外装材１０の嵌合凸部２０の上面に載置すると共に排水片１１ｂを下方外装材１０の嵌合凸部２０の屋外面に沿わせて配置する。また、防水突片１１ｃは側枠部材５の側方（開口部２と反対側の外方）に配置され、側枠取付片５ａの下部の屋外側に重ねられる。防水突片１１ｃは側枠部材５の外側面（開口部２と反対側の面）から縦構造材１ｂの屋外面を覆い、さらに縦構造材１ｂの側方（開口部２と反対側）にまで突出するような幅寸法に形成されている。
【００２１】
上記のようにして水切り部材１１を配設した後、図５（ａ）（ｂ）に示すように、フラッシング材１２を取り付ける。フラッシング材１２はカラー鋼板などの金属板で矩形板状に形成されるものである。また、フラッシング材１２の幅寸法（短手方向の幅寸法）は、上枠取付片４ａ及び側枠取付片５ａの幅寸法（短手方向の幅寸法）よりも広く、防水突片１１ｃの幅寸法よりも狭く形成されている。そして、まず、側枠部材５の側方（開口部２と反対側）において縦方向に長い側部フラッシング材１２ａを配設する。この側部フラッシング材１２ａの下端部は水受け片１１ａの上面に当接すると共に側部フラッシング材１２ａの上端部は上枠部材４よりも上側に突出して配置される。また、側部フラッシング材１２ａは防水突片１１ｃ及び側枠取付片５ａの屋外側に重ねて取り付けられる。この後、上枠部材４の上方において横方向に長い上部フラッシング材１２ｂを配設する。この上部フラッシング材１２ｂの両側端部は、側部フラッシング材１２ａの上端部の屋外側に重ねられる。また、上部フラッシング材１２ｂは上枠取付片４ａの屋外側に重ねて取り付けられる。
【００２２】
上記のようにしてフラッシング材１２を取り付けた後、図６（ａ）（ｂ）に示すように、シーリングを施す。このシーリングとしては、上部フラッシング材１２ｂと上枠部材４との隙間を閉塞する上部内周シーリング２６と、側部フラッシング材１２ａと側枠部材５との隙間を閉塞する側部内周シーリング２７と、上部フラッシング材１２ｂの上部にその長辺に沿って配設されるテープ状の上部外周シーリング２８と、側部フラッシング材１２ａの側部（側枠部材５と反対側の側部）にその長辺に沿って配設されるテープ状の側部外周シーリング２９とで構成することができる。上部内周シーリング２６と側部内周シーリング２７は、フラッシング材１２と上枠部材４及び側枠部材５との隙間の全長に沿って不定形のシーリング材を打つことにより形成することができる。また、上部外周シーリング２８と側部外周シーリング２９はシーリングテープをフラッシング材１２の全長にわたって貼着することにより形成することができる。そして、上部フラッシング材１２ｂの屋外側で上枠部材４の上側の空間が上部排水路７として形成される。また、側部内周シーリング２７と側部外周シーリング２９との間において、側部フラッシング部１２ａの屋外側の空間が側部排水路９として形成される。上部排水路７は横方向に長く、その両端部は側部排水路９の上端と連通している。また、側部排水路９は縦方向に長く、その上端は上部排水路７と連通しており、側部排水路９の下部は側部フラッシング材１２ａの下端から水切り部材１１の水受け部１１ａの上面及び排水片１１ｂの屋外面に至るまで形成されている。点線Ｗは上部排水路７と側部排水路９とを流れる雨水を示す。尚、側部フラッシング材１２ａの側方（側枠部材５と反対側の側方）において、水切り部材１１には堰止めシーリング３０が設けられている。堰止めシーリング３０はシーリングテープを防水突片１１ｃの屋外面から水受け片１１ａの上面にわたって貼り付けて形成することができる。また、側枠部材５の上端面と上枠部材４の下面との間には不定形のシーリング材３１を充填する。
【００２３】
上記のようにしてシーリングした後、図７に示すように、側枠部材５の側方（開口部２と反対側の側方）に側方外装材８を取り付ける。側方外装材８は下方外装材１０と同様の断熱パネル（サンドイッチパネル）であって、その上端部は嵌合凸部２０として形成されていると共に下端部には嵌合凸部２０が嵌合可能な嵌合凹部３２が形成されている。また、側方外装材８の側端面には縦方向の略全長にわたって目地片３３が突設されている。この目地片３３は側方外装材８の屋外側金属外皮の側端部を折り曲げるなどして形成することができる。そして、上記のようにして壁下地１に取り付けた下方外装材１０の嵌合凸部２０に側方外装材８の嵌合凹部３２を嵌合した後、側方外装材８の嵌合凸部２０の凹溝２１の部分にドリルビスなどの固定具を打ち込むことにより、側方外装材８を壁下地１に取り付けることができる。このようにして取り付けた側方外装材８の目地片３３の先端は側枠部材５の外側面（開口部２と反対側の側面）に当接又はほとんど隙間無く近接させる。これにより、側枠部材５の側方に目地片３３の幅寸法分の間隙を介して側方外装材８の側端面が位置することになり、目地片３３の屋内側において、側枠部材５の外側面と側方外装材８の側端面との間に側部排水路９が形成される。また、この側方外装材８の嵌合凸部２０は上枠部材４よりも少し上側に突出した状態となる。
【００２４】
次に、側方外装材８の上側及び上枠部材４の上側に上方外装材６を配設する。上方外装材６は側方外装材８や下方外装材１０と同様の断熱パネル（サンドイッチパネル）であって、その上端部は嵌合凸部２０として形成されていると共に下端部には嵌合凸部２０が嵌合可能な嵌合凹部３２が形成されている。そして、上記のようにして壁下地１に取り付けた側方外装材８の嵌合凸部２０に上方外装材６の嵌合凹部３２を嵌合した後、上方外装材６の嵌合凸部２０の凹溝２１の部分にドリルビスなどの固定具を打ち込むことにより、上方外装材６を壁下地１に取り付けることができる。ここで、建具３を挟んで両側に位置する二枚の側方外装材８、８の上端間にわたって、一枚の上方外装材６を配設することができる。また、建具３の上枠部材４の上方で二枚の上方外装材６、６を横方向に隣接させるように配設することもできる。そして、上枠部材４の上面と上方外装材６の下端との間に間隙を設けることにより、この間隙を上部排水路７として形成することができる。
【００２５】
次に、建具３の枠体３ａの下部の屋外側において建具水切り（サッシ水切り）３４を取り付ける。建具水切り３４は枠体３ａと同様のアルミニウム等の金属の成型部材で形成することができ、図８に示すように、矩形板状のカバー部３５とカバー部３５の屋外側端部から下方に突出する流水部３６とで断面略Ｌ字状に形成されている。また、カバー部３５の屋内側端部から側端部にわたって上方に向かって突出するバックアップ部３７が設けられている。そして、枠体３ａの下部の屋外側において、カバー部３５を水切り部材１１の水受け片１１ａの上に載置すると共に流水部３６を排水片１１ｂの屋外側に配置するようにして、建具水切り３４を配設することができる。この後、側枠部材５の下端とカバー部３５との間の隙間及び枠体３ａの下部とカバー部３５との間の隙間を塞ぐように建具シーリング３８を施す。
【００２６】
次に、図９に示すように、上部枠４と上方外装材６との隙間、側枠部材５及び建具水切り３４と側方外装材８との隙間、建具水切り３４と下方外装材１０との隙間を塞ぐようにして仕上げシーリング３９を形成する。ここで、上部枠４と上方外装材６との隙間を仕上げシーリング３９で閉塞する場合、上部排水路７が仕上げシーリング３９で閉塞されないように、上部排水路７の屋外側において仕上げシーリング３９を上部枠４の上面と上方外装材６の表面側下端との間に充填する。また、側枠部材５と側方外装材８との隙間を仕上げシーリング３９で閉塞する場合、側方外装材８の目地片３３の屋外側に仕上げシーリング３９を充填する。また、建具水切り３４と側方外装材８との隙間を仕上げシーリング３９で閉塞する場合、側部排水路９が仕上げシーリング３９で閉塞されないように、側部排水路９の屋外側において仕上げシーリング３９を側方外装材８の下部側端面と建具水切り３４の側端面との間に充填する。このようにして図１（ａ）（ｂ）（ｃ）に示すように、建具周囲の排水構造を形成することができる。
【００２７】
本発明の排水構造では、一次止水の仕上げシーリング３９が経時劣化などで破損した場合であっても、破損した部分から浸入した雨水は上部排水路７及び側部排水路９を通じて下部外装材１０の屋外面へと排水することができ、上方外装材６や側方外装材８よりも屋内側に雨水が浸入するのを防止することができる。また、図１０（ａ）（ｂ）に示すように、建具３の上枠部材４の上方で二枚の上方外装材６、６を横方向に隣接させるように配設した場合、隣接する上方外装材６、６の目地片３３、３３同士が重なった状態となり、その屋外側において隣接する上方外装材６、６の側端面の間に縦目地４０が形成され、その縦目地４０に仕上げシーリング３９が充填されることになる。また、重なった目地片３３、３３の屋外側において、隣接する上方外装材６、６の側端面の間には縦方向に長い空間が縦排水路４２として形成されている。この縦排水路４２の下端は上部排水路７と連通している。従って、縦目地４０に充填された仕上げシーリング３９が経時劣化などで破損した場合であっても、破損した部分から浸入した雨水は縦排水路４２から上部排水路７及び側部排水路９を通じて下部外装材１０の屋外面へと排水することができ、上方外装材６や側方外装材８よりも屋内側に雨水が浸入するのを防止することができる。尚、図１０中の符号１ｃは上方外装材６を固定するために上側の横構造材１ａに立設された柱材、符号４３は柱材１ｃの屋外面に縦方向の全長にわたって取り付けた捨板、符号４４は捨板４３の屋外面に縦方向の全長にわたって貼着したテープ状のシーリング材である。また、図９、図１０（ａ）に側部排水路９から下部外装材１０の屋外面へと排水する雨水Ｗを部分イで示す。
【００２８】
図１１〜１３に他の実施の形態を示す。この排水構造では、側部フラッシング材１２ａとして防水片１３を一体に設けて断面略Ｌ字状に形成したものを用いている。防水片１３は側部フラッシング材１２ａの一方の側部の全長にわたって屋外側に突出して折り曲げ形成されている。この側部フラッシング材１２ａは側枠部材５の側方に配設した場合に、側枠部材５の外側面（開口部２と反対側に側面）に沿って防水片１３が配置されることになる。また、防水片１３の上端は上枠部材４の上面位置にまで達し、防水片１３の下端は水受け部１１ａの上面にまで達している。その他の構成は上記の実施の形態と同様である。
【００２９】
この排水構造では、防水片１３が設けられているために、上記の実施の形態のように、側部内周シーリング２７を設けなくても、防水性を確保することができ、施工を簡素化することができる。
【００３０】
図１４〜１６に他の実施の形態を示す。この排水構造では、金属製のフラッシング材１２を用いずに、その代わりに、可撓性の防水テープ１４でフラッシング材１２を形成したものである。この防水テープ１４は塩化ビニル樹脂などの合成樹脂で帯状に形成されるものである。そして、上記の実施の形態において、金属製の上部フラッシング材１２ｂと側部フラッシング材１２ａを配設する代わりに、防水テープ１４を貼り付けてフラッシング材１２を形成する。この防水テープ１４は側枠部材５の側枠取付片５ａと上枠部材４の上枠取付片４ａと水切り部材１１の防水突片１１ｃとの屋外側に配置されるが、側枠部材５の側面及び上枠部材４の上面に対して防水テープの側部を防水片１３として折り曲げ形成して貼着している。その他の構成は上記の実施の形態と同様である。
【００３１】
この排水構造では、フラッシング材１２を防水テープ１４で形成したので、上記の実施の形態のように、上部内周シーリング２６や側部内周シーリング２７を設けなくても、防水性を確保することとができ、施工を簡素化することができる。
【００３２】
図１７〜１９に他の実施の形態を示す。この排水構造では、フラッシング材１２を上枠部材４及び側枠部材５に一体に形成したものである。すなわち、上枠部材４には上枠取付片４ａは形成されておらず、その代わりに、上部フラッシング材１２ｂが上枠部材４と同一の材料で一体的に形成されている。また、側枠部材５には側枠取付片５ａは形成されておらず、その代わりに、側部フラッシング材１２ａが側枠部材５と同一の材料で一体的に形成されている。そして、上部フラッシング材１２ｂと側部フラッシング材１２ａを壁下地１に固定することができる。また、水切り部材１１の防水突片１１ｃは側部フラッシング材１２ａと壁下地１の縦構造材１ｂとの間に差し込むようにして配置される。その他の構成は上記の実施の形態と同様である。
【００３３】
この排水構造では、フラッシング材１２を上枠部材４及び側枠部材５に一体に形成したものであるために、上記の実施の形態のように、上部内周シーリング２６や側部内周シーリング２７を設けなくても、防水性を確保することができ、施工を簡素化することができる。
【図面の簡単な説明】
【００３４】
【図１】本発明の実施の形態の一例を示し、（ａ）は上部の縦断面図、（ｂ）は横断面図、（ｃ）は下部の縦断面図である。
【図２】同上の施工途中を示し、（ａ）は斜視図、（ｂ）は断面図である。
【図３】同上の施工途中を示し、（ａ）は斜視図、（ｂ）は断面図である。
【図４】同上の水切り部材を示す斜視図である。
【図５】同上の施工途中を示し、（ａ）は斜視図、（ｂ）は断面図である。
【図６】同上の施工途中を示し、（ａ）は斜視図、（ｂ）は断面図である。
【図７】同上の施工途中を示す斜視図である。
【図８】同上の建具水切りを示す斜視図である。
【図９】同上の斜視図である。
【図１０】同上の他の実施の形態の一例を示し、（ａ）は斜視図、（ｂ）は断面図である。
【図１１】同上の他の実施の形態を示し、施工途中の斜視図である。
【図１２】同上の他の実施の形態を示し、施工途中の斜視図である。
【図１３】同上の他の実施の形態を示す一部の横断面図である。
【図１４】同上の他の実施の形態を示し、施工途中の斜視図である。
【図１５】同上の他の実施の形態を示し、施工途中の斜視図である。
【図１６】同上の他の実施の形態を示す一部の横断面図である。
【図１７】同上の他の実施の形態を示し、施工途中の斜視図である。
【図１８】同上の他の実施の形態を示し、施工途中の斜視図である。
【図１９】同上の他の実施の形態を示す一部の横断面図である。
【図２０】従来例を示す正面図である。
【符号の説明】
【００３５】
１  壁下地
２  開口部
３  建具
３ａ  枠体
３ｂ  開閉体
４  上枠部材
５  側枠部材
６  上方外装材
７  上部排水路
８  側方外装材
９  側部排水路
１０  下方外装材
１１  水切り部材
１２  フラッシング材
１３  防水片
１４  防水テープ
【図１】
0004928371.tif 000002
【図２】
0004928371.tif 000003
【図３】
0004928371.tif 000004
【図４】
0004928371.tif 000005
【図５】
0004928371.tif 000006
【図６】
0004928371.tif 000007
【図７】
0004928371.tif 000008
【図８】
0004928371.tif 000009
【図９】
0004928371.tif 000010
【図１０】
0004928371.tif 000011
【図１１】
0004928371.tif 000012
【図１２】
0004928371.tif 000013
【図１３】
0004928371.tif 000014
【図１４】
0004928371.tif 000015
【図１５】
0004928371.tif 000016
【図１６】
0004928371.tif 000017
【図１７】
0004928371.tif 000018
【図１８】
0004928371.tif 000019
【図１９】
0004928371.tif 000020
【図２０】
0004928371.tif 000021